(57)【要約】【課題】ソフトウェアの幅を拡張しゲームのエンターテインメント性を向上する。【解決手段】コントローラ１に、ユーザによって入力操作が行われる操作キー１３ａ〜１３ｄ、１４と、操作キーの操作信号を出力する操作信号発生手段２２と、信号ラインや電源ライン等を含むケーブル２と、このコントローラ１をゲーム機本体４に接続するためのコネクタ３とのほか、ユーザの心身機能を計測する心身機能計測手段として、心拍数を測定する心拍測定計５、血圧を測定する血圧測定計６、発汗状態を測定する発汗センサ７、体脂肪率を測定する体脂肪率計８の計測器を設ける。【選択図】　図１
2004078634.tif 000002
【特許請求の範囲】
【請求項１】
ユーザによって入力操作が行われる操作キーと、
上記操作キーの操作信号を出力する操作信号発生手段と、
上記ユーザの心身機能を計測する心身機能計測手段と
を備えるコントローラ。
【請求項２】
上記心身機能とは、上記ユーザの心拍数であって、
上記心身機能計測手段は、心拍数を測定する心拍数測定器であることを特徴とする請求項１記載のコントローラ。
【請求項３】
上記心身機能とは、上記ユーザの血圧であって、
上記心身機能計測手段は、血圧計であることを特徴とする請求項１記載のコントローラ。
【請求項４】
上記心身機能とは、上記ユーザの体脂肪率であって、
上記心身機能計測手段は、体脂肪率測定器であることを特徴とする請求項１記載のコントローラ。
【請求項５】
上記心身機能とは、上記ユーザの発汗状態であって、
上記心身機能計測手段は、発汗センサであることを特徴とする請求項１記載のコントローラ。
【発明の詳細な説明】
【０００１】
【発明の属する技術分野】
本発明は、ゲーム機やパーソナルコンピュータの操作入力に用いるコントローラに関し、特にユーザの心身状態の計測機能を備えるコントローラに関する。
【０００２】
【従来の技術】
テレビゲーム機等は、ゲーム機本体にケーブルで接続されたコントローラを備え、プレーヤがこのコントローラ上の複数の操作キーを巧みに操作することで、ゲームを楽しめるようつくられている。また、複数の操作キーの組み合わせ操作によって、様々なソフトウェア、ゲーム内容に対応できるようになっている。
【０００３】
パーソナルコンピュータでゲームを行う場合も同様で、自動車のハンドルや飛行機の操縦桿タイプのコントローラ等を用いることで、ユーザは、様々なゲームが楽しめる。
【０００４】
【発明が解決しようとする課題】
ところが、実際には、特に家庭用ゲーム機等のコントローラは、操作キーが限られており、ソフトウェア構成又はゲーム展開は、操作性から制約された範囲内でしか行うことができないため、必ずしもゲーム性能、ソフトウェアのエンターテインメント性を充分に引き出していない。
【０００５】
そこで本発明は、上述のような課題に鑑みてなされたものであり、使用できるソフトウェアの幅を拡張し、ゲームのエンターテインメント性を向上できるコントローラを提供することを目的とする。
【０００６】
【課題を解決するための手段】
上述の目的を達成するために、本発明に係るコントローラは、ユーザによって入力操作が行われる操作キーと、操作キーの操作信号を出力する操作信号発生手段と、ユーザの心身機能を計測する心身機能計測手段とを備える。
【０００７】
ここで、心身機能とは、ユーザの心拍数であって、心身機能計測手段を心拍数を測定する心拍数測定器とする。また、心身機能とは、ユーザの血圧であって、心身機能計測手段を血圧計とする。また、心身機能とは、ユーザの体脂肪率であって、心身機能計測手段として体脂肪率測定器を用いることもできる。また、心身機能とは、ユーザの発汗状態であって、心身機能計測手段に発汗センサを用いることもできる。
【０００８】
【発明の実施の形態】
本発明は、パーソナルコンピュータでゲームソフトウェアの操作を行う、或いは家庭用ゲーム機等の操作を行うコントローラにユーザの心身機能を計測する心身機能計測手段を備えることによって、使用できるソフトウェアの幅を拡張し、ゲームのエンターテインメント性を向上することを図ったものである。
【０００９】
以下、本発明の具体例について図面を参照して詳細に説明する。図１に、本発明に係るゲーム機のコントローラ１の外観構成を示す。
【００１０】
コントローラ１は、ユーザが両手で把持してゲーム展開を指示する操作入力を行うものであって、信号ラインや電源ライン等を含むケーブル２と、このコントローラ１をゲーム機本体４に接続するためのコネクタ３とを備えている。
【００１１】
また、心身機能を計測するための各種計測器が筐体の所定位置に設けられている。本具体例では、計測器として心拍測定計５、血圧測定計６、発汗センサ７、体脂肪率計８を備えている。
【００１２】
コントローラ１には、側面上部に、開口部が設けられており、内部に加圧ポンプを有する心拍測定計５及び血圧測定計６が備えられている。この開口部は、ユーザがこのコントローラ１を左右の手で把持した際に親指が挿入できるような位置関係となっている。また、ユーザがこのコントローラ１を把持した際に掌が接触する部位には、発汗センサ７並びに体脂肪率計８が設けられている。発汗センサ７及び体脂肪率計８は、一対の金属板を用いて、ユーザの体内に微弱電流を流して抵抗値を計測するといった、一般的な計測器が適用できる。
【００１３】
コントローラ１は、操作性や把持性を考慮した大きさと形状を有し、その操作面１０には複数の操作キーが操作性を考慮した位置にそれぞれ配設されている。
【００１４】
操作キーには、ゲーム内容を選択するセレクトキー１１、ゲーム開始を指示するスタートキー１２、ゲーム展開を指示するキー１３ａ〜１３ｄ等がある。また、上下左右に押下可能な十字スイッチ１４が設けられており、ゲーム中のキャラクタ等を上下左右に移動させる場合に用いられる。また、これらの操作キーには、ゲームの種類に応じて種々の働きが与えられる。
【００１５】
図２には、本発明に係るゲーム機のコントローラの内部ブロックを示す。コントローラ１内には、各種データの入出力及び後述の登録やその読出のための処理を行うマイコン２１、各種スイッチ、キーの操作信号を出力する操作信号発生部２２、操作信号をゲーム機本体４へ出力したり、マイコン２１側に導いたり通路切換を行うゲートアレイ２３、マイコン２１からの情報を必要に応じて記憶するＲＡＭ２４を備えている。また、図示しないが、各種測定計によって測定されたデータを記録したり、その他作業用プログラムを記憶するＲＯＭ等の内部メモリを備えている。
【００１６】
マイコン２１は、タイマを内蔵し、或いはゲーム機本体４に予め内蔵されているタイマを利用して、基準クロックによって計時を行っている。すなわち、マイコン２１は、所定周期、例えば１／６０秒周期で操作キーの押下状態や各種計測器を監視している。
【００１７】
マイコン２１、ゲートアレイ２３及びＲＡＭ２４は、コネクタ３及びケーブル２内の電源ラインを介して電源供給されている。またここでは、ＲＡＭ２４のバックアップ用として大容量コンデンサを用いる。このＲＡＭ２４は必要に応じてコントローラ１に対して着脱可能にしてもよい。
【００１８】
上述のような構成とすることにより、コントローラ１を把持したユーザの心身機能を逐次計測できる。このコントローラ１を用いることにより、例えば、計測データをソフトウェアに反映させて、異常な興奮度を検出した場合にはゲームを止めるように警告表示をしたり、ユーザの興奮状態を監視してゲームの進行度合いや難易度設定を変更したりできる。また、健康測定を目的とするソフトウェアを提供できる。
【００１９】
【発明の効果】
以上詳細に説明したように、本発明に係るコントローラは、ユーザの心身機能を計測する心身機能計測手段とを備えることによって、コントローラを把持したユーザの心身機能を逐次計測できる。
【００２０】
さらに、このコントローラを用いれば、使用できるソフトウェアの幅を拡張し、ゲームのエンターテインメント性を向上できる。
【図面の簡単な説明】
【図１】本発明の具体例として示すコントローラを説明する外観図である。
【図２】本発明の具体例として示すコントローラの構成を説明する構成図である。
【符号の説明】
１　　　　コントローラ
２　　　　ケーブル
３　　　　コネクタ
４　　　　ゲーム機本体
５　　　　心拍測定計
６　　　　血圧測定計
７　　　　発汗センサ
８　　　　体脂肪率計
１０　　　操作面
１１　　　セレクトキー
１２　　　スタートキー
１３ａ〜１３ｄ　キー
１４　　　十字スイッチ
【図１】
2004078634.tif 000003
【図２】
2004078634.tif 000004